(57)【特許請求の範囲】
【請求項１】
モータを駆動源とし、モータの出力側にクラッチを接続し、このクラッチの出力側に減速機を接続し、この減速機の出力側にツールソケットを設けたねじ締付装置であって、前記クラッチはクラッチスチールボールを挟んで対向するリテーナプレートとリテーナを有し、前記リテーナのリテーナプレートと対向する面にはスチールボールが約半分突出した状態で保持される凹部が形成され、この凹部と対向する前記リテーナプレートの一面にはスチールボールが乗り上げる平坦部とスチールボールが嵌り込む傾斜部からなるカムが形成され、また前記クラッチは締付トルクが所望値に達したことを検知する変位スイッチを備え、この変位スイッチは前記リテーナに連結されるスイッチレバーによってオンオフされ、このスイッチレバーはスプリングダンパによって変位スイッチのオン側に付勢され、更に前記リテーナとスイッチレバーとの連結部には前記スチールボールが前記傾斜部に嵌り込んだ状態での不要なリテーナの動きの伝播を防止する隙間が形成されていることを特徴とするねじ締付装置。
【請求項２】
請求項１に記載のねじ締付装置において、前記リテーナプレートはモータの駆動軸と連結しており、該リテーナプレート、前記リテーナ、前記スチールボールを介して減速機に動力を伝達するリテーナロッドを備えるとともに、前記リテーナロッドの外周に配置したスプリングにより付勢されリテーナを備えたことを特徴とするねじ締付装置。
【請求項３】
請求項１または請求項２に記載のねじ締付装置において、前記傾斜部の角度が１０°〜３０°であることを特徴とするねじ締付装置。
【請求項４】
請求項１、２または請求項３のいずれかにに記載のねじ締付装置において、前記モータにパルス状の電力を０．１ｍｓｅｃのサイクルで間欠的に供給し、前記モータを断続的に回転させることを特徴とするねじ締付装置。
【発明の詳細な説明】
【技術分野】
【０００１】
本発明は、モータを駆動源とするねじ締付装置に関する。
【背景技術】
【０００２】
従来のねじ締付装置としては、アングル型やピストル型などがあり、モータ駆動部の出力側に減速機を接続し、この減速機の出力側にクラッチを接続し、このクラッチの出力側にツールソケットを設けたものが知られている（例えば、特許文献１参照）。ねじを締付けた後、トルクレンチを用いて要求される締付トルクに達するようにしている。
【特許文献１】特開平０６−０７９６３７号公報
【発明の開示】
【発明が解決しようとする課題】
【０００３】
しかし、従来のねじ締付装置においては、減速機の出力側にクラッチを設けているので、減速した後の高い出力トルクでクラッチを作動させる必要から、クラッチの容量が大きくなって大型になり、装置全体としても大型になり操作性がよくないという問題がある。また、要求される締付トルクが増加すると、反力も増加して片手作業が困難になるという問題もある。
【０００４】
本発明は、従来の技術が有するこのような問題点に鑑みてなされたものであり、その目的とするところは、クラッチを小型化すると共に装置全体としても小型軽量化が図れ、操作性のよいねじ締付装置を提供しようとするものである。
【課題を解決するための手段】
【０００５】
上記課題を解決すべく請求項１にかかる発明は、モータを駆動源とし、モータの出力側にクラッチを接続し、このクラッチの出力側に減速機を接続し、この減速機の出力側にツールソケットを設けたねじ締付装置であって、前記クラッチはクラッチスチールボールを挟んで対向するリテーナプレートとリテーナを有し、前記リテーナのリテーナプレートと対向する面にはスチールボールが約半分突出した状態で保持される凹部が形成され、この凹部と対向する前記リテーナプレートの一面にはスチールボールが乗り上げる平坦部とスチールボールが嵌り込む傾斜部からなるカムが形成され、また前記クラッチは締付トルクが所望値に達したことを検知する変位スイッチを備え、この変位スイッチは前記リテーナに連結されるスイッチレバーによってオンオフされ、このスイッチレバーはスプリングダンパによって変位スイッチのオン側に付勢され、更に前記リテーナとスイッチレバーとの連結部には前記スチールボールが前記傾斜部に嵌り込んだ状態での不要なリテーナの動きの伝播を防止する隙間が形成されたねじ締付装置である。
【０００６】
請求項２に係る発明は、請求項１に記載のねじ締付装置において、前記リテーナプレートはモータの駆動軸と連結しており、該リテーナプレート、前記リテーナ、前記スチールボールを介して減速機に動力を伝達するリテーナロッドを備えるとともに、前記リテーナロッドの外周に配置したスプリングにより付勢されリテーナを備えたものである。
【０００７】
請求項３に係る発明は、請求項１または請求項２に記載のねじ締付装置において、前記傾斜部の角度が１０°〜３０°としたものである。
【０００８】
請求項４に係る発明は、請求項１、２または請求項３のいずれかに記載のねじ締付装置において、前記モータにパルス状の電力を０．１ｍｓｅｃのサイクルで間欠的に供給し、前記モータを断続的に回転させる。
【発明の効果】
【０００９】
請求項１に係る発明によれば、クラッチを減速機の出力側ではなく、減速機の入力側に設けたため、クラッチを小型化することができるので、作業者が把持する装置本体の小型軽量化が図れる。また、作業者が把持する装置本体の小型軽量化により狭い場所でもねじ締付作業がし易くなる。さらに、前記クラッチはクラッチスチールボールを挟んで対向するリテーナプレートとリテーナを有し、前記リテーナのリテーナプレートと対向する面にはスチールボールが約半分突出した状態で保持される凹部が形成され、この凹部と対向する前記リテーナプレートの一面にはスチールボールが乗り上げる平坦部とスチールボールが嵌り込む傾斜部からなるカムが形成され、また前記クラッチは締付トルクが所望値に達したことを検知する変位スイッチを備え、この変位スイッチは前記リテーナに連結されるスイッチレバーによってオンオフされ、このスイッチレバーはスプリングダンパによって変位スイッチのオン側に付勢され、更に前記リテーナとスイッチレバーとの連結部には前記スチールボールが前記傾斜部に嵌り込んだ状態での不要なリテーナの動きの伝播を防止する隙間を設けた。この隙間により、不要なリテーナの動きがスイッチレバーに伝わることが無い。
【００１０】
請求項２に係る発明によれば、ねじ締付装置において、前記リテーナプレートはモータの駆動軸と連結しており、該リテーナプレート、前記リテーナ、前記スチールボールを介して減速機に動力を伝達するリテーナロッドを備えるとともに、前記リテーナロッドの外周に配置したスプリングにより付勢されリテーナを備えたことにより、軸方向の構造が簡略化され、小型化が可能となる。また本構造により、リテーナプレート、スチールボール、リテーナを介して、DCモータの動力が、減速機に伝達されているため、所定のトルクを超えると、スチールボールが平坦面に乗り上げることで、DCモータからの出力が減速機に伝わることが確実に遮断できるとともに、リテーナ連結される変位スイッチを作動させるため、DCモータもオフ状態となり、確実に動力の伝達を遮断することができる。
【００１１】
請求項３に係る発明によれば、リテーナプレートの一面に設けられた傾斜部の角度が１０°〜３０°とすることで、低いトルクでも、スチールボールが平坦部に乗り上げることが容易になる。
【００１２】
請求項４にかかる発明によれば、モータにパルス状の電力を０．１ｍｓｅｃのサイクルで間欠的に供給し、前記モータを断続的に回転させることで、減速機のギア部やジョイント部のバックラッシュを活用したインパクト効果が生まれ、トルクアップを図る際に、締付反力が作業者の腕に伝わる前に回転と停止が繰り返され反力の軽減が図れる。
【発明を実施するための最良の形態】
【００１３】
以下に本発明の実施の形態を添付図面に基づいて説明する。ここで、図１は本発明に係るねじ締付装置の概要側面図、図２は同じく概要上面図、図３はクラッチの説明図、図４はリテーナプレートの説明図、図５は変位スイッチの動作説明図である。
【００１４】
本発明に係るねじ締付装置は、図１及び図２に示すように、ピストル型の装置本体１と、装置本体１を構成する直流（ＤＣ）モータ３を制御するコントローラ（不図示）と、電源としてのリチュームイオンのバッテリ（不図示）と、装置本体１とコントローラを接続するケーブル２からなる。コントローラとバッテリは、作業者のウエストに巻いたベルトに取り付けることもできるし、装置本体１に組み込むこともできる。
【００１５】
装置本体１は、駆動源となるＤＣモータ３と、ＤＣモータ３のトルクを減速機４に伝達する機械式のクラッチ５と、クラッチ５の回転数を減速する遊星歯車などからなる前記減速機４と、減速機４が出力するトルクにより係合したねじを締付けるツールソケット６と、作業者が片手で把持するための把持部（グリップ部）７、把持部７に設けられるレバー７ａなどを備えている。ＤＣモータ３はブラシレスでもブラシ付きでもよい。また、図５に示すようにクラッチ５にはクラッチ５の動作状態を検知する変位スイッチ８が設置されている。
【００１６】
ＤＣモータ３には、コントローラによりパルス状の電力（電流）が間欠的に供給され、断続的に回転する断続制御がなされる。このような断続制御により、減速機４のギヤ部やジョイント部などのバックラッシュを活用することでインパクト効果が生まれトルクアップが図れる。また、断続時間（オン／オフ時間）のサイクルを短くして（例えば、０．１ｍsec）、締付反力が作業者の腕に伝わる前に回転と停止を繰り返し行えば、反力の軽減が図れる。
【００１７】
クラッチ５は、図３に示すように、ＤＣモータ３の出力軸が連結するクラッチロッド１１、略円盤状のリテーナプレート１２、３個の球形のスチールボール１３、略円盤状のリテーナ１４、コイル状のスプリング１５、スプリングホルダ１６、アジャストナット１７などからなる。リテーナプレート１２の一面には、図４（ａ）に示すように、縁部近傍の周方向にカム（傾斜部１８ａと平坦部１８ｂと傾斜部１８ｃ）１８が３つ等分で形成されている。傾斜部１８ａ，１８ｃの傾斜角θは、１０°〜３０°が望ましい。
【００１８】
また、リテーナ１４の一面には、リテーナプレート１２に形成されたカム１８に対向する部位にスチールボール１３を約半分が突出した状態で収納する凹部１４ａが形成されている。スチールボール１３は、リテーナプレート１２に形成されたカム１８とリテーナ１４に形成された溝１４ａで挟持されている。
【００１９】
スチールボール１３は、図４（ｂ）に示すように、締付トルクがスプリング１５の弾性力を超える前には傾斜部１８ａと傾斜部１８ｃの間に位置し、締付トルクがスプリング１５の弾性力を超えると、図４（ｃ）に示すように、カム１８の平坦部１８ｂに乗り上げる。そして、ＤＣモータ３が駆動していてもスチールボール１３がカム１８の平坦部１８ｂを乗り越えることを繰り返すことにより、ＤＣモータ３によるリテーナプレート１２の回転が、減速機４に伝達されるのを遮断し、ツールソケット６の回転が停止する。
【００２０】
変位スイッチ８は、図５に示すように、スチールボール１３の位置によって変化するリテーナ１４の動きを検知するオン・オフスイッチである。変位スイッチ８は、クラッチ５の枠体２０に固定されたベース部材２１に取り付けられている。そして、リテーナ１４の動きは、一端２２ａがリテーナ１４の縁部１４ｂで挟持されると共に、中央部２２ｂがベース部材２１に摺動自在に嵌挿され、他端２２ｃが変位スイッチ８に当接するスイッチレバー２２と、スイッチレバー２２の他端２２ｃとベース部材２１との間に縮装されたスプリングダンパ２３により、変位スイッチ８に伝えられる。なお、８ａは変位スイッチ８がオフ状態の時に突出している押釦である。
【００２１】
図５（ａ）に示すように、スチールボール１３がリテーナプレート１２に形成されたカム１８の傾斜部１８ａと傾斜部１８ｃの間に位置している場合には、リテーナ１４とスイッチレバー２２の一端２２ａの間に所定の間隙Ｇが設けられている。また、スイッチレバー２２の他端２２ｃがスプリングダンパ２３により変位スイッチ８を押圧して変位スイッチ８を確実にオン状態にしている。変位スイッチ８がオン状態の場合には、ＤＣモータ３の駆動が可能になる。リテーナ１４とスイッチレバー２２の一端２２ａの間に所定の間隙Ｇを設けているので、不要なリテーナ１４の動きがスイッチレバー２２に伝わることがない。
【００２２】
一方、図５（ｂ）に示すように、スチールボール１３がリテーナプレート１２に形成されたカム１８の平坦部１８ｂに乗り上げると、リテーナ１４がスプリング１５を圧縮する方向に移動する。すると、リテーナ１４がスイッチレバー２２の一端２２ａを押圧するので、スイッチレバー２２がベース部材２１に対して摺動し、更にスイッチレバー２２の他端２２ｃがスプリングダンパ２３を圧縮して変位スイッチ８をオフ状態にする。変位スイッチ８がオフ状態になると、ＤＣモータ３は駆動を停止する。
【００２３】
以上のように構成された本発明に係るねじ締付装置の動作について説明する。先ず、作業者が装置本体１の把持部７を片手で把持し、ねじをツールソケット６に装着する。次いで、ツールソケット６に装着したねじの先端を締付の対象となるねじ孔に位置決めし、把持部７に設けたスイッチ（不図示）を指で押す。すると、ＤＣモータ３が駆動を開始し、ＤＣモータ３が発生するトルクと回転数が、クラッチ５、減速機４を介してツールソケット６に装着されたねじに伝達される。
【００２４】
この時、ＤＣモータ３はコントローラにより断続制御されるので、減速機４のギヤ部やジョイント部などのバックラッシュを活用することによりインパクト効果が生まれ、トルクアップが図れる。また、例えば０．１ｍsecなどの断続時間（オン／オフ時間）を設定することにより、締付反力が作業者の腕に伝わる前に回転と停止が繰り返えされ、反力の軽減が図れる。
【００２５】
そして、ツールソケット６の回転によりねじがねじ孔に螺合して所望の締付トルクに達すると、図５（ａ）に示すように、カム１８の傾斜部１８ａと傾斜部１８ｃの間に位置していたスチールボール１３が、図５（ｂ）に示すように、カム１８の平坦部１８ｂに乗り上げ、リテーナ１４がスプリング１５を圧縮する方向に移動する。この時、傾斜部１８ａ，１８ｃには、図４（ｂ），（ｃ）に示すように、例えば約１０°の傾斜角θが設けられているので、低いトルクでもスチールボール１３が平坦部１８ｂに乗り上げることができる。
【００２６】
スチールボール１３が平坦部１８ｂに乗り上がると、クラッチ５がＤＣモータ３による回転を遮断してツールソケット６の回転を停止させると共に、リテーナ１４がスイッチレバー２２の一端２２ａを押圧することにより、スイッチレバー２２の他端２２ｃがスプリングダンパ２３を圧縮して変位スイッチ８をオフ状態にする。この時、スチールボール１３が転がるカム１８の平坦部１８ｂが所定の長さを有しているので、変位スイッチ８を確実にオフ状態にするための押圧時間を設けることができる。
【００２７】
変位スイッチ８がオフ状態なると、ＤＣモータ３は駆動を停止する。そして、ねじは所望の締付トルクでねじ孔に螺合し、１本のねじに対するねじ締付作業は終了する。
【００２８】
図６は断続制御コントローラのコンピュータ設定画面の例を示す図であり、画面中、Ｓ１は回転速度、Ａ１〜Ａ３は電流（トルク）、Ｔ１〜Ｔ１１は波形時間を表わす。この例にあっては、画面の下の部分に回転速度Ｓ１、電流（トルク）Ａ１〜Ａ３及び波形時間Ｔ１〜Ｔ１１を設定する窓部が設けられ、各窓部の右横にはボタンがあり、このボタンをクリックすることで設定条件を増減することができる。上記の設定条件を経時的に表しているのが、画面の上半部のグラフである。
【００２９】
そして、画面のＳｔａｒｔボタンをクリックすると、コンピュータからモータ制御指令が入力コントローラに記憶され、モータを制御しながら回転せしめる。
【００３０】
本発明に係るねじ締付装置によれば、ＤＣモータ３の出力側に直接クラッチ５を接続したことにより、ＤＣモータ３の出力を従来よりも低く抑えることができるため、ＤＣモータ３、クラッチ５を小型化することができる。したがって、装置本体１が従来のものより小型・軽量になる。例えば、３０Ｎ・ｍの締付トルクが必要な場合における装置本体１の大きさと重さを従来のものと比較すると次のようになる。
【００３１】
図１及び図２に示す長さ（Ｌ）×幅（Ｗ）×高さ（Ｈ）が、従来の５００ｍｍ×７０ｍｍ×１０４ｍｍから、２６０ｍｍ×５０ｍｍ×１５０ｍｍとなり、装置本体１の大きさは従来の大きさより約５０％減少した。また、装置本体１の重さも、従来の２．４ｋｇから１．５ｋｇになり、従来の重さよりも約４０％減少した。この場合におけるクラッチ５の大きさは、図３（ａ）に示す直径Ｄが、従来の１１６ｍｍから３３ｍｍとなり、従来の大きさより約８０％減少し、クラッチ５の重さも、従来の１２００ｇから２００ｇとなり、従来の重さより約７０％減少した。
【００３２】
なお、本発明の実施の形態では、締付トルクが所望の値に達したことをクラッチ５に設けた変位スイッチ８の動作状態（オン状態からオフ状態の変化）で判定したが、ＤＣモータ３の駆動時間と変位スイッチ８の動作状態を判定の条件にすることができる。また、ＤＣモータ３の駆動時間だけで判定することもできる。
【産業上の利用可能性】
【００３３】
本発明によれば、クラッチを減速機構の出力側ではなく、減速機構の入力側に設けたため、クラッチを小型化することができるので、小型軽量化が図れ、操作性が向上し、狭い場所でもねじ締付作業がし易いねじ締付装置を提供することができる。
【図面の簡単な説明】
【００３４】
【図１】本発明に係るねじ締付装置の概要側面図
【図２】本発明に係るねじ締付装置の概要上面図
【図３】クラッチの説明図で、（ａ）は断面図、（ｂ）は分解図
【図４】リテーナプレートの説明図で、（ａ）はリテーナプレートの平面図、（ｂ）はリテーナプレートとスチールボールとリテーナの関係（クラッチ非作動状態）を示す断面展開図、（ｃ）はリテーナプレートとスチールボールとリテーナの関係（クラッチ作動状態）を示す断面展開図
【図５】変位スイッチの動作説明図で、（ａ）はオン状態、（ｂ）はオフ状態
【図６】断続制御コントローラのコンピュータ設定画面の例を示す図
【符号の説明】
【００３５】
１…装置本体、３…ＤＣモータ（モータ）、４…減速機、５…クラッチ、６…ツールソケット、７…把持部、７ａ…レバー、８…変位スイッチ、１１…クラッチロッド、１２…リテーナプレート、１３…スチールボール、１４…リテーナ、１５…スプリング、１８…カム、１８ａ，１８ｃ…傾斜部、１８ｂ…平坦部、２２…スイッチレバー、２３…スプリングダンパ、θ…傾斜角。
【図１】
0004454674.tif 000002
【図２】
0004454674.tif 000003
【図３】
0004454674.tif 000004
【図４】
0004454674.tif 000005
【図５】
0004454674.tif 000006
【図６】
0004454674.tif 000007